(57)【要約】【課題】自動製氷機の除氷時間を短縮して、製氷効率を向上させる。【解決手段】自動製氷機は、除氷運転に際してホットガスが流通されると共に、除氷水が供給される横向きに開口する製氷小室６０ａを多数有する製氷室６０と、製氷運転に際して製氷小室６０ａを閉成する製氷位置に位置決めされて、製氷小室６０ａとの間に角氷を生成すると共に、除氷運転への切換えにより製氷室６０から離間する除氷位置に移動する水皿１２とを備えている。また自動製氷機は、除氷運転に際して水皿１２に角氷を氷結させたまま除氷位置に移動することで製氷小室６０ａから氷塊を取出し、この除氷位置で角氷を剥離落下させる。そして、除氷運転に際して、製氷室６０の温度が所定温度に到達したことを製氷完了サーモＴｈが検知すると、第２除氷水散水管２５から除氷水を供給して水皿１２を加温するようにした。【選択図】図１
2005299982.tif 000002
【特許請求の範囲】
【請求項１】
所要方向に開口した製氷小室(60a)を多数備える製氷部(60)と、この製氷部(60)に配設され、製氷運転に際し気化冷媒が供給されて該製氷部(60)を冷却し、除氷運転に際しホットガスが供給されて該製氷部(60)を加温する蒸発管(11)と、常には前記製氷小室(60a)を閉成する製氷位置にあって製氷水を供給して該製氷小室(60a)に氷塊(S)を成長させ、除氷運転に際し該製氷小室(60a)を開放して氷塊(S)と共に除氷位置へ移動する水皿(12)と、除氷運転中に前記水皿(12)へ除氷水を供給して該水皿(12)から氷塊(S)を自重落下させる除氷水供給手段(25)とからなる自動製氷機の運転方法において、
除氷運転に伴い前記蒸発管(11)へホットガスを供給して製氷部(60)の温度を上昇させ、
前記製氷部(60)の温度が、前記製氷小室(60a)と氷塊(S)との氷結面がある程度融解して、前記水皿(12)が除氷位置へまもなく移動する温度に到達したことを温度検知手段(Th)が検知して、前記除氷水供給手段(25)による該水皿(12)への除氷水の供給を開始するようにした
ことを特徴とする自動製氷機の運転方法。
【請求項２】
前記水皿(12)が除氷位置に移動したことを開放判定手段(81)が検知したとき、前記蒸発管(11)に気化冷媒を供給して前記製氷部(60)を冷却する製氷準備運転を行なう請求項１記載の自動製氷機の運転方法。
【請求項３】
前記除氷位置に移動した前記水皿(12)からの氷塊(S)の離脱を検出する除氷検知装置(81)が所定時間を経過しても氷塊(S)の離脱を検出しない場合は、前記除氷水供給手段(25)による水皿(12)の加温を継続したまま、前記製氷準備運転を停止し、前記除氷検知装置(81)が氷塊(S)の離脱を検出することで製氷運転へ移行するようにした請求項２記載の自動製氷機の運転方法。
【発明の詳細な説明】
【技術分野】
【０００１】
この発明は、自動製氷機の運転方法に関し、更に詳細には、製氷部と水皿との間に生成された氷塊を、該水皿に氷結させたまま製氷部から取出すよう構成した自動製氷機の運転方法に関するものである。
【背景技術】
【０００２】
所要形状の角氷(氷塊)を連続的に大量に製造する自動製氷機として、図２０または図２１に示すように、横方向に開口する多数の製氷小室１０ａを有する一対の製氷室(製氷部)１０,１０と、この製氷室１０,１０の裏面(製氷小室１０ａの開口側と反対側)に密着的に配設され、製氷運転に際して気化冷媒が循環されると共に除氷運転に際してホットガスが循環される蒸発管１１と、両製氷室１０,１０の間における上方に配設され、除氷運転に際して除氷水を供給する第１除氷水散水管２４と、製氷運転に際して前記製氷小室１０ａを閉成する製氷位置に位置決めされて、該製氷小室１０ａとの間に角氷Ｓを生成させると共に、除氷運転に際して図示しない開閉装置により製氷小室１０ａを開放する除氷位置に移動される水皿１２,１２と、各水皿１２に配設されて、除氷運転に際して除氷水を供給する第２除氷水散水管(除氷水供給手段)２５とを備えた縦型のものが知られている(例えば、特許文献１参照)。この自動製氷機は、前記除氷運転に際して前記水皿１２に角氷Ｓを氷結させたまま除氷位置に移動することで前記製氷小室１０ａから角氷Ｓを取出し、この除氷位置で該水皿１２から角氷Ｓを剥離落下させて、下方に位置する貯氷室(図示せず)に貯蔵するよう構成されている。
【０００３】
前記自動製氷機は、製氷運転において、前記角氷Ｓの製造が完了し、前記製氷室１０,１０の温度が製氷完了温度となったことを図示しない製氷完了サーモが検知すると、循環ポンプＰが停止されて、製氷水の前記水皿１２,１２への循環供給を停止して除氷運転に切換えられる。除氷運転では、図示しない冷凍装置に設けられたホットガス弁が開放して蒸発管１１にホットガスが供給されると共に、前記製氷室１０,１０に第１除氷水散水管２４から除氷水(常温の水道水)が供給されて該製氷室１０,１０の加温がなされて、各製氷小室１０ａの内壁面と角氷Ｓとの氷結面の融解を開始する。このとき、前述した製氷完了検知により、前記開閉装置が駆動して、前記水皿１２,１２を開放方向へ付勢している。前記蒸発管１１へのホットガスの供給および除氷水の製氷室裏面への供給により各製氷室１０が加温され、各製氷小室１０ａに対する角氷Ｓの固着力が低下すると、前記開閉装置による付勢によって水皿１２,１２に角氷群が氷結したまま製氷室１０,１０から分離して各製氷小室１０ａから角氷Ｓが取出され、該水皿１２,１２は除氷位置に到る(図２１参照)。
【０００４】
前記水皿１２,１２が除氷位置に到来したことを図示しない開放完了スイッチが検知すると、前記第１除氷水散水管２４を閉成して製氷室１０,１０に対する除氷水の供給を停止したもとで、外部水道系に接続する各第２除氷水散水管２５から水皿１２,１２へ除氷水(常温の水道水)の供給を開始する。第２除氷水散水管２５から供給された除氷水は、各散水孔(図示せず)を介して水皿１２の裏面側に散水され、これにより水皿１２が加温されてその表面側に氷結している角氷群との氷結力が低下する。前記各水皿１２と角氷群との氷結力がある程度解除されると、該角氷群は自重落下し、下方に位置する製氷水タンク１６に開設された氷通過口２８を介して貯氷室に落下貯留される。そして、前記水皿１２から角氷群が剥離落下したことを、図示しない除氷完了スイッチが検知すると、前記第２除氷水散水管２５からの除氷水の供給を停止すると共に、水皿１２,１２を閉成して前記循環ポンプＰが再駆動され、製氷運転が開始する。すなわち、前記水皿１２への除氷水の供給のタイミングを、前記製氷室１０の加温のタイミングと同時にすると、製氷小室１０ａと角氷Ｓとの氷結面の融解より、該水皿１２と角氷Ｓとの氷結状態が早く解除されて、水皿１２が開放した際に製氷小室１０ａに角氷Ｓが残ってしまう可能性があり、これを回避するため、水皿１２の除氷位置への到来と共に水皿１２を加温するよう構成している。
【特許文献１】特開２００３−２８７３２７号公報
【発明の開示】
【発明が解決しようとする課題】
【０００５】
このように、前記水皿１２,１２が開いたことを開放完了スイッチで検知した際に、該水皿１２,１２に第２除氷水散水管２５,２５から除氷水を供給して水皿１２,１２を加温するよう構成することで、水皿１２,１２の開放に際して、製氷小室１０ａに角氷Ｓが残留することなく、製氷小室１０ａから角氷Ｓを確実に排出し得るようにできるが、除氷運転の開始から角氷Ｓが各水皿１２から剥離落下するまでの時間(除氷時間)が長くなってしまう欠点が指摘される。すなわち、除氷時間が長くなると、製氷工程における１サイクル当たりの製氷効率が悪化する問題が生じる。
【０００６】
ここで、想定以上の角氷Ｓが製造されたり、あるいは水皿１２の表面状態が悪くなった場合は、水皿１２から角氷Ｓが剥離落下するのに必要以上に時間がかかる除氷異常が発生することがある。そこで、前記自動製氷機では、前記除氷完了スイッチが所定時間を経過しても除氷検知しない場合は、除氷異常が発生したものとして自動製氷機の運転を停止する制御が行なわれている。しかしこの場合は、前記水皿１２から角氷Ｓが剥離落下しても、自動では運転が再開しないため、使用者が手動で自動製氷機を再始動させる必要があった。
【０００７】
すなわちこの発明は、従来の技術に係る自動製氷機の運転方法に内在する前記問題に鑑み、これらを好適に解決するべく提案されたものであって、除氷時間を短縮することで、製氷効率を向上し得る自動製氷機の運転方法を提供することを目的とする。
【課題を解決するための手段】
【０００８】
前記課題を克服し、所期の目的を達成するため、本発明に係る自動製氷機の運転方法は、
所要方向に開口した製氷小室を多数備える製氷部と、この製氷部に配設され、製氷運転に際し気化冷媒が供給されて該製氷部を冷却し、除氷運転に際しホットガスが供給されて該製氷部を加温する蒸発管と、常には前記製氷小室を閉成する製氷位置にあって製氷水を供給して該製氷小室に氷塊を成長させ、除氷運転に際し該製氷小室を開放して氷塊と共に除氷位置へ移動する水皿と、除氷運転中に前記水皿へ除氷水を供給して該水皿から氷塊を自重落下させる除氷水供給手段とからなる自動製氷機の運転方法において、
除氷運転に伴い前記蒸発管へホットガスを供給して製氷部の温度を上昇させ、
前記製氷部の温度が、前記製氷小室と氷塊との氷結面がある程度融解して、前記水皿が除氷位置へまもなく移動する温度に到達したことを温度検知手段が検知して、前記除氷水供給手段による該水皿への除氷水の供給を開始するようにしたことを特徴とする。
【発明の効果】
【０００９】
本発明に係る自動製氷機の運転方法によれば、除氷運転に伴い蒸発管へホットガスを供給して製氷部の温度を上昇させ、製氷部の温度が、製氷小室と氷塊との氷結面がある程度融解して、水皿が除氷位置へまもなく移動する温度に到達したことを温度検知手段が検知して、除氷水供給手段による水皿への除氷水の供給を開始することで、水皿が開放した際に製氷部への氷塊の残留を防止しつつ、水皿から氷塊が自重落下するタイミングを早くすることができる。従って、除氷時間を短縮することができるので、製氷効率を向上し得る。また、水皿が除氷位置に移動した際に、蒸発管に気化冷媒を供給して製氷部を冷却する製氷準備運転を実施することで、次回の製氷運転に際して製氷室が既に冷却された状態になっているので、製氷運転の時間を短縮することができ、より製氷効率の向上を図り得る。更に、除氷位置に移動した水皿からの氷塊の離脱を検出する除氷検知装置が所定時間を経過しても氷塊の離脱を検出しない場合は、除氷水供給手段による水皿の加温を継続したまま、製氷準備運転を停止し、除氷検知装置が氷塊の離脱を検出することで製氷運転へ移行することで、氷塊の確実な放出を実施し得ると共に、異常検出により製氷機を停止することなく、製氷運転を再開することができ、使用者の手間を省くことができる。
【発明を実施するための最良の形態】
【００１０】
次に、本発明に係る自動製氷機の運転方法につき、好適な実施例を挙げて、添付図面を参照して以下に説明する。なお、説明の便宜上、図２０または図２１に示した自動製氷機の構成要素と同一の要素については、同一の符号を使用して詳細な説明は省略する。
【実施例】
【００１１】
図１は、実施例に係る自動製氷機の主要製氷機構を、製氷状態で概略的に示す正面図である。図において所要寸法の多数の角氷(氷塊)Ｓを製造する製氷機構は、斜め下方向に開口する複数の製氷小室６０ａを有し、その裏面側(製氷小室６０ａの開口側とは反対側)が対向するよう製氷室ブラケット１４,１４に略垂直に配置した一対の製氷室(製氷部)６０,６０と、両製氷室６０,６０の裏面間に配設された蒸発管１１と、各製氷室６０の表面側(製氷小室６０ａの開口側)に対して近接・離間可能な製氷水供給手段としての水皿１２とから基本的に構成される。
【００１２】
(製氷室)
自動製氷機の本体枠１３には、前後方向に離間して一対の製氷室ブラケット１４,１４が配設され、両ブラケット１４,１４間に前記製氷室６０,６０が、その幅方向を前後方向に揃えた姿勢で支持されている。図３に示すように、各製氷室６０は、良好な熱伝導率を有する金属(例えば銅)を材質とする矩形箱状で、内部に複数の仕切板５６,５７を縦横に配設することで複数の製氷小室６０ａが画成されたものであって、該製氷室６０における幅方向の前後に位置する各側壁６０ｂの上下両端部が所定長さだけ延出しており、該延出部６０ｃ,６０ｃが、対応する前記製氷室ブラケット１４に断熱材(図示せず)を介して配設されることで、該製氷室６０は略垂直に配置されるようになっている。
【００１３】
前記複数の縦仕切板５６および横仕切板５７は、相互に直交するように配設され、これら仕切板５６,５７により画成される製氷小室６０ａは立方体状に設定される。ここで前記横仕切板５７は、奥側から開口側に向かうにつれて鉛直方向下向きに傾斜するよう形成されて、前記製氷小室６０ａが斜め下方に開口するようになっている(図３参照)。また、両仕切板５６,５７における表面側の端部は、製氷室６０の表面端より所定長さだけ内側に位置し、各製氷小室６０ａ中に生成された角氷Ｓを表面側に生成される氷層によって相互に連結するよう設定してある。前記製氷室６０,６０には、製氷完了検知手段としての製氷完了サーモ(図示せず)が配設されており、製氷小室６０ａに略完全な角氷Ｓが形成されて各製氷室６０の温度が製氷完了温度まで低下したのを該サーモＴｈが検知すると、製氷運転を完了して除氷運転に移行するようになっている。なお実施例では、除氷運転について、製氷室６０,６０を加温する運転を第１除氷運転とし、前記水皿１２,１２を加温する運転を第２除氷運転として分けて説明する。
【００１４】
前記両製氷室６０,６０を支持する製氷室ブラケット１４,１４には、上下に離間する位置に左右方向に延在するフランジ部１４ａ,１４ａが形成されると共に、両フランジ部１４ａ,１４ａの上端面が、製氷室６０,６０から離間するにつれて下方に傾斜するよう形成されている。なお、各フランジ部１４ａにおける上端面の傾斜角度と、前記横仕切板５７の傾斜角度とが略一致するよう構成される(図８参照)。
【００１５】
図４または図５に示すように、各製氷室６０の下端部には、その前後の角隅部に滴下防止板２２,２２が夫々配設されている。前記滴下防止板２２は、前記製氷室６０の底板における水皿１２側に臨む表面端に密着的に当接した前板２２ａと、該製氷室６０の延出部６０ｃに当接すると共に、該延出部６０ｃを覆う側板２２ｂとから構成されている。前記滴下防止板２２は、平面視において略くの字状に折曲形成され、その前板２２ａは製氷室６０における角隅部から所定寸法内方にかけて、該製氷室６０の底板の表面端から下方に延出している。また、前記滴下防止板２２の前板２２ａは、前記製氷室６０の表面側から裏面側に向かうにつれて下方傾斜している。そして、前記滴下防止板２２は、ネジ等の固定手段２３で前記製氷室６０の延出部６０ｃに固定されている。前記滴下防止板２２は、除氷運転において、前記製氷室６０,６０の裏面側に除氷水を供給した際に、各製氷室６０の底板を伝って該製氷室６０の表面側に向けて流下する除氷水を、下方に開口している製氷水タンク１６に導くように機能している(図５における矢印参照)。
【００１６】
(蒸発管)
前記両製氷室６０,６０の裏面間には、図３に示すように、図示しない冷凍装置の一部を構成する蒸発管１１が密着固定され、製氷運転時に蒸発管１１中に気化冷媒を循環させて前記製氷室６０,６０を強制冷却すると共に、除氷運転に際して高温冷媒ガス(以後「ホットガス」と云う)を循環させて製氷室６０,６０を加温するよう構成され、該製氷室６０,６０を冷却するのみでなく、加温手段としても機能する。
【００１７】
(水皿)
前記両製氷室６０,６０の表面側には、後述する開閉装置１５に支持されて平行に横移動可能な水皿１２が夫々臨んでいる。各水皿１２は、氷が氷結し難い材料(例えば合成樹脂)を材質として、製氷室６０における全ての製氷小室６０ａを覆い得る寸法の平板状に形成されて、該製氷小室６０ａを閉成する表面(氷塊氷結面)は平坦に設定されている。そして、この水皿１２は、開閉装置１５により製氷室６０の表面側に近接する製氷位置(図１参照)と、表面側から離間する除氷位置(図２参照)との間を、縦向き姿勢のまま平行に進退移動されるようになっている。なお、前記水皿１２における上下端部は、図３に示すように、前記製氷室６０より外方に延出する折曲部１２ｃ,１２ｃが形成され、その開放端に向かうにつれて製氷室６０から離間する方向に所定角度(例えば３０〜４５°)で傾斜するよう折曲され、水皿自体の強度を向上するよう構成される。また下側の折曲部１２ｃは、製氷運転に際して前記製氷小室６０ａに供給されて氷結することなく流下する未氷結水(後述)および除氷運転に際して前記水皿１２の裏面側を流下する除氷水を、前記製氷水タンク１６に案内するガイド手段として機能する。
【００１８】
前記製氷機構の下方には、図１に示す如く、製氷水タンク１６が配設され、該タンク中に貯留されている所要量の製氷水は、循環ポンプＰを介して各水皿１２の裏面下部に配設されて幅方向に延在する供給管１７に供給されるよう構成される。前記供給管１７からは複数の分配管１８が並列に導出され、各分配管１８は水皿１２において、各製氷小室６０ａの中央と対応する位置に形成され、縦列に並ぶ通孔１２ａに沿って上方に延在している(図７参照)。各分配管１８における夫々の通孔１２ａと対応する位置には、図６に示すように、該通孔１２ａより小径の突部１９が突設されて、該突部１９が通孔１２ａ内に同心的に挿入されている。この突部１９には噴水孔１９ａが穿設されており、前記製氷水タンク１６から循環ポンプＰを介して分配管１８に圧送される製氷水は、各噴水孔１９ａを介して対応の各製氷小室６０ａ中に噴射可能になっている。すなわち実施例では、前記水皿１２、供給管１７および分配管１８から製氷水供給手段が構成され、該供給手段が一体的に製氷室６０に対して平行に近接・離間移動するよう構成されている。
【００１９】
前記水皿１２の通孔１２ａに同心的に挿入された突部１９の外周囲に戻り孔２０が画成され、後述する製氷運転に際して、製氷室６０で氷結するに到らなかった製氷水(以下「未氷結水」という)を、この戻り孔２０から製氷水タンク１６に戻し得るようになっている。なお、突部１９の先端は、水皿１２の表面(製氷室６０と対向する面)より突出しないよう設定され、水皿１２に氷結した角氷群が脱氷落下する際に引掛かることがないよう構成される(図６参照)。なお、前記全ての分配管１８の上端部は接続管２１に接続されて、前記供給管１７と共に製氷水がエンドレスで流通し得るよう構成されている。
【００２０】
前記両製氷室６０,６０の間における上方位置に、給水管(図示せず)を介して外部水道系に接続する第１除氷水散水管２４が幅方向に延在すると共に、該散水管２４には縦方向に整列する製氷小室群に対応する位置の夫々に分岐管２４ａが接続してある。そして、給水管に介挿した第１給水弁ＷＶ1を開放することにより、常温の水道水(除氷水)が第１除氷水散水管２４に供給され、この除氷水は各分岐管２４ａを介して製氷室６０,６０の裏面側を流下して前記製氷水タンク１６に供給され、第１除氷運転において製氷室６０,６０を加温すると共に、これが次回の製氷運転時に製氷水として使用されるようになっている。すなわち実施例では、除氷運転において、前記製氷室６０,６０を加温する手段として蒸発管１１を流通するホットガスだけでなく、第１除氷水散水管２４から供給した除氷水を併用している。
【００２１】
前記各水皿１２の前後両側に側板１２ｂ,１２ｂが配設され、該側板１２ｂ,１２ｂ間における水皿１２の裏面側上部に、給水管(図示せず)を介して外部水道系に接続する除氷水供給手段としての第２除氷水散水管２５が接続管２１と平行に配設され、給水管に介挿した第２給水弁ＷＶ２を開放することにより、常温の水道水(除氷水)が第２除氷水散水管２５に供給されるよう構成される。また第２除氷水散水管２５には複数の散水孔(図示せず)が穿設されており、第２除氷水散水管２５に供給された除氷水は、散水孔を介して水皿１２の裏面側を流下して前記製氷水タンク１６に供給され、第２除氷運転において水皿１２,１２を加温する加温手段として機能すると共に、これも次回の製氷運転時に製氷水として使用されるようになっている。
【００２２】
前記水皿１２における裏面には、図６または図７に示すように、前記各通孔１２ａを囲繞する堰部材２６が配設され、該水皿１２の裏面側を流下する除氷水が通孔１２ａを介して表面側に流出し、角氷Ｓを融解するのを防止するよう構成してある。また前記堰部材２６は、製氷運転において、前記戻り孔２０を介して前記水皿１２の表面側から裏側への製氷水の流出は許容するようになっている。前記堰部材２６は、前記水皿１２の表面側から見た際に(図７参照)、下方に開放した略Ｕ字状の部材であって、該水皿１２の裏面側において、縦方向に並ぶ通孔群に沿って配設された分配管１８と該水皿１２との間に介装されている。また、前記堰部材２６は、その上部が半円状の滑らかな形状とされると共に、前記通孔１２ａより大径に形成されて、該通孔１２ａの下方を除く上方および側方を覆って水皿１２の裏面側に庇の如く延在している。そして、前記堰部材２６の上部をなす半円形状の部分は、前記通孔１２ａと同心的な位置関係にある。すなわち、除氷運転において、前記水皿１２の上部に配設された第２除氷水散水管２５から供給され、該水皿１２の裏面を伝って流下する除氷水(製氷水)は、前記堰部材２６に阻まれて、前記戻り孔２０から水皿１２の表面側に流出しないようになっている。更に、製氷運転において、前記水皿１２の表面側から前記戻り孔２０を介して裏面側に流出した未氷結水は、前記堰部材２６に留まることなく、その下方に開放する開口から水皿１２の裏面を伝って円滑に流下するよう構成される。
【００２３】
前記水皿１２における前記折曲部１２ｃの下方には、該水皿１２と一体的に移動するカバー手段としての樋部材２７が配設され、水皿１２の表面側や裏面側を流下して折曲部１２ｃで案内される製氷水や除氷水を、該樋部材２７で回収して前記製氷水タンク１６に案内するよう構成される(図１参照)。また、前記水皿１２が開閉装置１５により除氷位置に移動された状態で、該水皿１２の表面側に氷結している角氷群の下方に臨む製氷水タンク１６に、氷通過口２８が形成され、除氷運転により水皿１２から剥離落下する角氷群は、該氷通過口２８を介して図示しない貯氷室に放出されるようになっている(図２参照)。なお、水皿１２の製氷位置においては、氷通過口２８は前記樋部材２７で覆われて閉成され(図１参照)、製氷水が該氷通過口２８を介して貯氷室に流入するのは防止されている。これに対し、前記水皿１２が除氷位置に移動した際に、前記樋部材２７は氷通過口２８を開放して、角氷群の通過を供するようになっている。また、前記樋部材２７における製氷室６０を向く端部は、前記水皿１２の表面より製氷室側に突出しないよう設定されており、該水皿１２から剥離した角氷群の円滑な落下を達成し得るようになっている。
【００２４】
前記各水皿１２の前後両側板１２ｂ,１２ｂに水皿ブラケット(図示せず)が配設されると共に、該水皿ブラケットの上下に離間する位置に、一対の案内ローラ６３,６３が夫々回転可能に配設されている。前記水皿１２,１２は、各案内ローラ６３を介して後述する開閉装置１５により各フランジ部１４ａの上端面に沿って、縦向き姿勢のまま斜め下方に向けて平行に横移動するようになっている(図８〜図１０参照)。
【００２５】
(開閉装置)
前記開閉装置１５は、図８〜図１０に示すように、前記両製氷室ブラケット１４,１４に配設される一対のリンク機構６７,６７と、両リンク機構６７,６７を作動する作動機構６８とから構成され、両リンク機構６７,６７を作動機構６８により作動することで、前記各水皿１２が、対応する製氷室６０の表面側に近接する製氷位置(図１参照)と、表面側から離間する除氷位置(図２参照)との間を移動する。前記作動機構６８は、前記両製氷室ブラケット１４,１４の上端間に、正逆回転可能なモータＧＭと連繋して回動可能に架設された回動軸３３を備え、該回動軸３３における各製氷室ブラケット１４,１４から外方に突出する軸端に、円板状のカム７０が一体回転可能に配設されている。すなわち、モータＧＭを回転駆動することで、回動軸３３と共にカム７０が所定方向(実施例では図８〜図１０における時計廻り方向)に回転するよう構成される。なお、図９または図１０に示すように、前記各カム７０には、該カム７０の回転中心(前記回動軸３３)から偏位した位置に前後方向に延在する軸部７０ａを設けてある。
【００２６】
前記作動機構６８により作動される前記リンク機構６７,６７の構成は対称であるので、前側に配設されるリンク機構６７の構成についてのみ説明する。図８〜図１０に示すように、前記リンク機構６７は、上下方向に延在する長尺のスライド板７１と、該スライド板７１に揺動可能に枢着される４枚のガイド部７４,７４,７４,７４とから構成されている。また、前記スライド板７１の上端部に、左右方向に延出する突出部７２が突設され、該突出部７２に左右方向に延在する案内溝７２ａが形成されて、この案内溝７２ａに前記カム７０の軸部７０ａが挿通されている。すなわち、カム７０が回転した際には、前記軸部７０ａが前記スライド板７１の案内溝７２ａに沿って摺動すると共に、該軸部７０ａの上下方向の変位に伴い、スライド板７１が上下方向に往復移動される(図８〜図１０参照)。そして、製氷運転に際しては、前記スライド板７１が最上方に位置し(図８参照)、除氷運転に際しては、該スライド板７１が最下方に位置するよう設定されている(図９または図１０参照)。
【００２７】
前記スライド板７１における左右両側部には、上下に所要距離だけ離間する位置に支持軸７３,７３,７３,７３が夫々設けられており、各支持軸７３に前記ガイド部７４の一端部が夫々枢着されている。従って、前記各ガイド部７４における前記支持軸７３から離間する自由端部７４ａは、自由回動可能となっている。また、前記各ガイド部７４における略中央部と前記自由端部７４ａとを結ぶ位置には、所要長さの前記長孔７４ｂが夫々形成されており、該長孔７４ｂに前記水皿１２に設けた案内ローラ６３の図示しない軸部が挿通されている。すなわち、前記ガイド部７４は前記水皿１２と各案内ローラ６３との間に位置し、該案内ローラ６３の軸部は、該ガイド部７４の自由端部側における前記長孔７４ｂを画成する端縁部７４ｃ(図９参照)と係合するようになっている。
【００２８】
ここで、製氷運転に際して、前記リンク機構６７は前述の如く前記スライド板７１が最上方に位置し、前記各ガイド部７４の端縁部７４ｃと前記各案内ローラ６３の軸部とが係合して前記各水皿１２がスライド板７１に近接する製氷位置に保持された第１位置(図８参照)に変位される。また、除氷運転に際して、前記リンク機構６７は前述の如く前記スライド板７１が最下方に位置する。このとき、前記各製氷室６０と水皿１２との氷結により該水皿１２が製氷位置に保持されると共に、前記各ガイド部７４は前記各案内ローラ６３の軸部を支点に回動され、ガイド部７４の端縁部７４ｃと前記各案内ローラ６３の軸部との係合が解除されて当該水皿１２の自重による除氷位置への移動を許容する第２位置(図９参照)に変位されるよう構成されている。
【００２９】
そして、前記各製氷室６０と角氷Ｓとの間(氷結面)が融解すると、該水皿１２が自重により前記各フランジ部１４ａの上端面に沿って各案内ローラ６３が転動することで平行移動すると共に、該案内ローラ６３の軸部がガイド部７４の前記端縁部７４ｃに係合することで開放位置に保持されるようになる(図１０参照)。そして、後述の除氷検知装置８１,８１の両方が除氷完了を検知すると、リンク機構６７,６７が第２位置から第１位置に変位されると共に、前記各水皿１２の案内ローラ６３とガイド部７４の端縁部７４ｃとの係合作用下に、該案内ローラ６３が前記フランジ部１４ａに沿って製氷室６０に近接移動され、水皿１２が除氷位置から製氷位置に復帰するようになっている。
【００３０】
(リミットスイッチ)
図８〜図１０に示すように、前側に位置する前記製氷室ブラケット１４における前記カム７０の側方には、２基のリミットスイッチ７７,７８が上下方向に隣接的に配設されている。上側に位置する第１リミットスイッチ７７は、前記カム７０の軸部７０ａが回動軸３３の真上に位置する上死点(リンク機構６７が第１位置)に到来することで、該スイッチ７７の検出部７７ａに前記スライド板７１の突出部７２が接触したときに(ＯＮ状態)、前記モータＧＭを停止制御するべく機能する。すなわち、第１リミットスイッチ７７は、前記リンク機構６７が第１位置に変移されて前記水皿１２,１２が製氷位置に臨み、製氷運転が可能となったことを検出する。また、下側に位置する第２リミットスイッチ７８は、前記カム７０の軸部７０ａが回動軸３３の真下に位置する下死点(リンク機構６７が第２位置)に到来することで、該スイッチ７８の検出部７８ａに前記スライド板７１の突出部７２が当接したときに(ＯＮ状態)、前記モータＧＭを停止制御するべく機能する。
【００３１】
(除氷検知装置)
前記製氷室ブラケット１４,１４には、図１に示すように、前記水皿１２,１２からの除氷を検出する前記除氷検知装置８１,８１が対応的に配設されている。前記除氷検知装置８１は、図１１に示すように、各水皿１２と対応的に配設されると共に前記製氷室ブラケット１４に回動可能に枢支される検出部材８２と、該検出部材８２の回動を検出する検出センサ８６と、該検出センサ８６の検出状態の変化により該水皿１２からの角氷Ｓの除去を判定する除氷判定手段８７(図１２参照)とから構成されている。前記各検出部材８２は、略へ字状に折り曲げられた本体部８３と、前記検出センサ８６に検出される略Ｌ字状の検出体８４とから形成されており、該本体部８３の突出部が上方に位置する状態で、当該本体部８３における対応の製氷室６０から離間する端部が、前記製氷室ブラケット１４に揺動可能に枢支される。また、前記検出体８４は、前記本体部８３を枢支する軸部８２ａの近傍に形成されて上方に突出する支持片８４ａと、該支持片８４ａの上端縁から前記本体部８３と略平行に軸部８２ａに向けて延出する検出片８４ｂとから形成されている。すなわち、前記検出片８４ｂは、前記本体部８３から所要距離だけ離間して位置するようになっている。
【００３２】
ここで、前記水皿１２が製氷位置にある場合には、前記検出部材８２における前記製氷室６０に近接する端部が該水皿１２の上側の折曲部１２ｃに当接して回動規制された常態位置に、該検出部材８２が保持される(図１１(ａ)参照)。また、前記水皿１２が除氷位置へ横移動すると、これに伴い前記検出部材８２が下方に回動して、前記本体部８３が水皿１２に氷結した角氷群の最上方に位置する角氷Ｓに当接して回動規制された水皿開放位置に、検出部材８２が保持されるようになる(図１１(ｂ)参照)。更に、前記水皿１２から角氷Ｓが落下剥離した場合には、前記検出部材８２は角氷Ｓによる位置規制が解除されて更に下方に回動し、前記本体部８３が水皿１２の前記折曲部１２ｃに当接して回動規制された除氷完了位置に、検出部材８２が保持されるよう構成されている(図１１(ｃ)参照)。すなわち、前記除氷検知装置８１,８１は、前記水皿１２,１２から角氷Ｓが離脱したことを検知する除氷判定だけでなく、該水皿１２,１２の製氷位置から除氷位置への移動を検知する開放判定手段としても機能している。なお、水皿１２,１２の開放判定手段は、前記除氷検知装置８１,８１と兼用する構成でなく、独立した開放判定手段を配設する構成も採用し得る。
【００３３】
前記検出センサ８６としては、発光部の発光面と受光部の受光面とが対向する一般的な光学式センサが用いられ、前記検出部材８２が前記常態位置にある場合に、検出部材８２の本体部８３と検出片８４ｂとの間に位置するよう配設されて、検出片８４ｂが発光部の発する光を遮らないようになっている。また、前記検出部材８２が前記水皿開放位置に回動した場合には、前記発光部と受光部との間に前記検出片８４ｂが位置して発光部が発する光が遮られ、前記検出センサ８６により検出部材８２が水皿開放位置にあるのを検出する。更に、前記検出部材８２が前記除氷完了位置に回動した場合には、前記検出センサ８６が検出片８４ｂの上側に位置し、当該検出片８４ｂが発光部の発する光を遮らないよう構成される。
【００３４】
前記検出センサ８６は、前記検出部材８２が前記常態位置または除氷完了位置にある場合にはＯＮ状態として検出し、該検出部材８２が前記水皿開放位置にある場合にはＯＦＦ状態として検出するようになっている。すなわち、前記水皿１２が製氷位置から除氷位置に横移動した際には、前記検出センサ８６によりＯＦＦ状態が検出されると共に、該水皿１２の開放完了が検出される。なお、前記左右の検出センサ８６,８６が水皿１２,１２のどちらか一方の開放完了を検出したときには、前記製氷室６０,６０への除氷水の供給を停止するよう制御される。また、前記水皿１２,１２の両方の開放完了を検出したときに、蒸発管１１へのホットガスの供給を停止すると共に、該蒸発管１１に気化冷媒を循環して製氷室６０,６０の冷却を開始するよう制御され、除氷運転により昇温した製氷室６０,６０を予め冷却して次回の製氷運転に備える製氷準備運転が実施される。
【００３５】
図１２に示すように、前記除氷判定手段８７は、前記自動製氷機を制御する制御装置８８の一部を構成するものであって、前記各検出センサ８６に対応的に配設されると共に、該検出センサ８６における検出状態の変化を識別し得るよう構成されている。そして、各検出センサ８６による検出状態が、ＯＮ状態からＯＦＦ状態へ変化したことを条件として、前記水皿１２が除氷位置に移動したものと判定すると共に、次いでＯＦＦ状態からＯＮ状態に変化したことを条件として、各除氷判定手段８７は前記水皿１２から前記角氷Ｓが除去されたものと判定するようになっている。また、前記除氷判定手段８７による判定に基づき、前記制御装置８８が、前記開閉装置１５やその他構成部品を制御するよう設定されており、該除氷判定手段８７により前記各水皿１２から前記角氷Ｓが除去されたものと判定されたときに、水皿１２,１２の裏面への除氷水の供給停止等の所定の制御を行ない、除氷運転から製氷運転に移行するよう構成してある。
【００３６】
除氷運転に際し、前記水皿１２,１２が開放されてから角氷Ｓが自重で剥離落下するまでに要する時間(正常除氷時間)を設定した第１タイマＴＭ１が、自動製氷機の制御装置８８に配設されている。前記第２給水弁ＷＶ２が開放されて第２除氷水散水管２５から水皿１２,１２の裏面に除氷水が供給されて水皿１２,１２を加温する第２除氷運転において、水皿１２,１２が製氷位置から除氷位置に移動してから、前記第１タイマＴＭ１に設定された正常除氷時間を経過しても前記除氷判定手段がＯＮ状態を検出しない場合には、前記第２給水弁ＷＶ２を開放して水皿１２,１２の裏面に除氷水を散水する第２除氷運転を継続したまま、前記製氷準備運転を停止する除氷異常対処運転を行なうよう設定されている。そして、角氷Ｓが前記水皿１２,１２から離脱すると、前記除氷検知装置８１,８１の除氷完了の検出に基づいて、前記第２給水弁ＷＶ２が閉成され、第２除氷水散水管２５からの除氷水の供給を停止して所定時間待機した後、製氷運転に移行するよう制御される。
【００３７】
除氷運転から製氷運転に移行するに際し、正常に角氷Ｓが脱氷された水皿１２,１２が、除氷位置から製氷位置に復帰するまでに要する時間(正常閉成時間)を設定した第２タイマＴＭ２が、自動製氷機の制御装置８８に配設されている。そして、前記水皿１２,１２が除氷位置から製氷位置に移動(リンク機構６７,６７が第２位置から第１位置に変位)するに際して、前記第２タイマＴＭ２に設定された正常閉成時間を経過しても前記第１リミットスイッチ７７がＯＮ状態とならない場合には、前記モータＧＭを逆回転して該水皿１２,１２を除氷位置(リンク機構６７,６７を第２位置)に復帰させ、前記蒸発管１１にホットガスを供給すると共に、水皿１２,１２の裏面に除氷水を散水する除氷運転を再開する氷噛み異常対処運転を行なうよう設定されている。
【００３８】
また、前記氷噛み異常対処運転に際しては、前記除氷検知装置８１による除氷完了(検出部材８２が除氷完了位置にある状態)に関係なく、前記製氷室６０,６０に配設した解除温度検知手段(図示せず)により製氷室６０,６０が予め設定された解除温度(例えば、１５℃程度)になったのを検知したときに、前記制御装置８８により除氷運転から製氷運転に切換えられて、再度水皿１２,１２を除氷位置から製氷位置に移動するよう前記リンク機構６７,６７が第１位置に変位される。そして、再び前記第２タイマＴＭ２に設定された正常閉成時間を経過しても前記第１リミットスイッチ７７がＯＮ状態とならない場合には、再度氷噛み異常処理運転に移行するよう設定されている。また、氷噛み異常対処運転を所定回数繰り返すと、自動製氷機の運転を停止して、異常状態を警報音や表示等により操作者に報知するよう構成されている。なお、前記解除温度検知手段は、水皿１２の温度を検知するものであっても、または後述する製氷完了サーモＴｈを利用してもよい。
【００３９】
(製氷完了サーモ)
前記一方の製氷室６０には、温度検知手段としての製氷完了サーモＴｈが配設され、前記製氷室６０に略完全な角氷Ｓが形成されることによって製氷室温度が製氷完了温度まで低下したことを該サーモＴｈが検知した際に、製氷運転を完了して除氷運転に移行するよう設定されている。すなわち、図１５に示すように、前記循環ポンプＰを停止したもとで、冷凍装置のホットガス弁ＨＶを開放して蒸発管１１にホットガスを供給すると共に、前記モータＧＭを回転し、更には前記第１給水弁ＷＶ1を開放して前記第１除氷水散水管２４から両製氷室６０,６０の裏面側への除氷水の供給を開始する第１除氷運転を行なうよう構成される。
【００４０】
また、前記製氷完了サーモＴｈは、第１除氷運転を開始後、前記水皿１２,１２が開放する前において、所定温度(離脱温度)を検知した際に、前記第２給水弁ＷＶ２を開放して第２除氷水散水管２５から除氷水を供給して、水皿１２,１２を加温する第２除氷運転を開始するように設定されている。前記離脱温度は、氷結状態にある角氷Ｓが製氷室６０の加温により製氷小室６０ａとの氷結面がある程度融解してもうすぐ離脱し得るであろう温度、すなわち製氷位置にある水皿１２,１２が除氷位置へまもなく移動する温度であって、実施例では２℃〜３℃程度に設定されるが、周囲温度等の条件を勘案して適宜設定される。但し、前記製氷完了サーモＴｈが、前記製氷室６０の離脱温度を検知する前に、各水皿１２に対応して設けられた前記除氷検知装置８１,８１の両方が水皿１２,１２の開放を検出した場合は、直ちに水皿１２,１２に除氷水が供給され、第２除氷運転に移行する。
【００４１】
なお、前記離脱温度を検知する温度検知手段として、製氷完了温度を検知する製氷完了サーモＴｈと兼用する構成について説明したが、該製氷完了サーモＴｈとは別に温度検知手段を製氷室６０の何れか一方または双方に設ける構成も採用し得る。また、前記温度検知手段を製氷室６０に配設するのではなく、前記蒸発管１１に配設して、該蒸発管１１の温度に基づいて離脱温度を検知してもよい。すなわち、前記蒸発管１１を流通するホットガスは、製氷室６０との熱交換により温度が変化するので、該蒸発管１１の温度に基づいて間接的に製氷室６０の温度変化を検知することができる。このとき、前記温度検知手段は、前記蒸発管１１の流通方向の終端側に配設される。
【００４２】
〔実施例の作用〕
次に、実施例に係る自動製氷機の運転方法の作用について説明する。
【００４３】
製氷運転に際し、図８に示すように、前記開閉装置１５におけるカム７０の軸部７０ａが上死点に臨み、前記各ガイド部７４の端縁部７４ｃと各水皿１２の対応する案内ローラ６３の軸部とが係合すると共に、前記リンク機構６７,６７が第１位置に保持されて、該水皿１２,１２の夫々が製氷室６０,６０の表面側に近接して閉成する製氷位置に保持されている。このとき前記第１リミットスイッチ７７がＯＮ状態となっている。この状態において、前記冷凍装置の運転(圧縮機ＣＭ−ＯＮ,製氷弁ＦＶ−開,ファンモータＦＭ−ＯＮ)により、両製氷室６０,６０の裏面側に配設された蒸発管１１に気化冷媒が循環供給されると共に、前記製氷水タンク１６の製氷水が循環ポンプＰにより各分配管１８を介して各製氷室６０の各製氷小室６０ａ中に向けて噴射供給される。噴射された製氷水は、製氷小室６０ａの内壁面に接触して冷却され、該製氷小室６０ａ中で氷結することなく開口から流出する未氷結水は、前記水皿１２の各戻り孔２０から該水皿１２の裏面側に流出して流下し、前記折曲部１２ｃおよび樋部材２７を介して製氷水タンク１６に戻されて再度の循環に供される。なお、製氷運転に際して前記氷通過口２８は対応する樋部材２７により閉成されているから(図１参照)、水皿裏面を流下する未氷結水が氷通過口２８から貯氷室に入るのは防止される。すなわち、貯氷室に貯留されている角氷Ｓに未氷結水が付着して再氷結するのは抑制される。そして製氷水の循環が反復される内に、製氷小室６０ａ中で製氷水の一部が氷結して氷層が成長し、最終的に該製氷小室６０ａの内部形状に対応する角氷Ｓが生成される。前述した如く、製氷小室６０ａを画成する仕切板５６,５７における表面側の端部は、製氷室６０の表面端より所定長さだけ内側に位置しているから、各製氷小室６０ａ中に生成された角氷Ｓは表面側に生成される氷層によって相互に連結すると共に、前記水皿１２の表面に氷結付着する。
【００４４】
前記角氷Ｓの製造が完了し、製氷室６０,６０の温度が製氷完了温度となったことを製氷完了サーモＴｈが検知すると、製氷運転から除氷運転に移行する。この除氷運転について、図１３および図１４のフローチャート図、図１５および図１６のタイミングチャート図を参照して説明する。前記製氷完了サーモＴｈによる製氷室６０,６０の製氷完了温度の検知(ステップＳ１)に基づいて、循環ポンプＰを停止して製氷水の循環供給が停止されると共に、冷凍装置の製氷弁ＦＶを閉成して蒸発管１１の気化冷媒の循環が停止され、更にファンモータＦＭが停止されて製氷運転が終了する(ステップＳ２)。そして、前記冷凍装置のホットガス弁ＨＶを開放して前記蒸発管１１にホットガスが供給されると共に、前記第１給水弁ＷＶ１を開放して第１除氷水散水管２４を介して除氷水(常温の水道水)が製氷室６０,６０の裏面側に散水され、該製氷室６０,６０を加温する第１除氷運転が開始され(ステップＳ３)、各製氷小室６０ａの内壁面と角氷Ｓとの氷結面の融解を開始する。このとき、各製氷室６０の裏面を伝って流下する除氷水は、該製氷室６０の下端部に配設された滴下防止板２２,２２に案内されて製氷水タンク１６に流下する。
【００４５】
また、前記製氷完了サーモＴｈにより製氷完了が検知されると、前記開閉装置１５のモータＧＭが回転駆動(正転)すると共に、そのカム７０が図８において時計廻り方向への回動を開始し、これにより一対の前記リンク機構６７,６７が作動される。このとき、製氷小室６０ａの内壁面と角氷Ｓとの氷結により、前記各水皿１２は製氷位置に保持されたままとなる。すなわち、各リンク機構６７においては、カム７０における軸部７０ａの下方への変位に伴い、前記スライド板７１が下方に移動され、該スライド板７１に枢着されている前記各ガイド部７４が、前記水皿１２の案内ローラ６３を支点にして傾斜変位し、各案内ローラ６３の軸部はガイド部７４の端縁部７４ｃから離間する状態となる(図９参照)。そして、前記スライド板７１の突出部７２が第２リミットスイッチ７８の検出部７８ａに接触することで、前記モータＧＭが一旦停止され、前記リンク機構６７,６７は第２位置に保持される。
【００４６】
前述の如く、前記製氷室６０,６０を加温することで、各製氷小室６０ａに対する角氷Ｓの固着力が低下すると、前記水皿１２,１２に角氷群が氷結した状態で、該水皿１２,１２および角氷Ｓの自重により前記各案内ローラ６３が前記各フランジ部１４ａの傾斜に沿って転動して水皿１２,１２が平行に横移動し、前記案内ローラ６３の軸部とガイド部７４の端縁部７４ｃとが係合する。すなわち、各製氷小室６０ａから角氷Ｓが取出されると共に、図１０に示すように各水皿１２は除氷位置に保持される。前記一対の水皿１２,１２の何れか一方が除氷位置に到来すると、対応する前記除氷検知装置８１,８１の検出部材８２が回動して該検出部材８２は水皿開放位置に保持されて(図１１(ｂ)参照)、前記検知センサ８６がＯＦＦ状態を検出する(ステップＳ４)。これにより、前記水皿１２が除氷位置に位置したことが検出され、前記第１給水弁ＷＶ１を閉成し、前記製氷室６０,６０に対する前記第１除氷水散水管２４からの除氷水の供給が停止される(ステップＳ７)。ここで、前記水皿１２の何れか一方の除氷位置への到来により前記製氷室６０に対する除氷水の供給を停止することで、前記製氷水タンク１６に貯留した前回の製氷運転時に冷却された製氷水の温度上昇を最小限に留めることができる。
【００４７】
また、前記一対の水皿１２,１２の両方が除氷位置に到来すると、前記除氷検知装置８１,８１の検知センサ８６,８６が何れもＯＦＦ状態を検出する(ステップＳ５)。前記除氷検知装置８１,８１について両方ともＯＦＦ状態を検出すると、ホットガス弁ＨＶが閉成されて前記製氷室６０,６０への加温を停止して第１除氷運転を終了すると共に(ステップＳ８)、製氷室６０,６０を冷却する製氷準備運転が開始される(ステップＳ１０)。前記製氷準備運転では、前記ファンモータＦＭを駆動すると共に、前記製氷弁ＦＶを開放して蒸発管１１に気化冷媒を循環することで、前記第１除氷運転において、除氷水およびホットガスで加温された製氷室６０,６０を冷却している。すなわち、前記製氷室６０,６０から角氷Ｓが離脱した段階(ステップＳ８)から該製氷室６０,６０を冷却することで、次回の製氷運転に移行した際に、製氷室６０,６０は既に冷却状態になっており、角氷Ｓの生成時間を短縮することができる。
【００４８】
更に、第１除氷運転を開始してから(ステップＳ３)、製氷完了サーモＴｈが製氷室６０,６０の温度が離脱温度に到達したことを検知すると(ステップＳ６)、第２給水弁ＷＶ２を開放して第２除氷水散水管２５から水皿１２,１２に対して除氷水を供給して、該水皿１２,１２を加温する第２除氷運転が開始される(ステップＳ９)。前記離脱温度は、製氷室６０と角氷Ｓとの氷結面がある程度融解して、水皿１２が除氷位置へまもなく移動する温度で、すなわち水皿１２を開放しても製氷室６０に角氷Ｓが残留しないであろう温度に設定されているので、前記水皿１２が製氷位置にある状態で第２除氷運転が開始される。従って、前記水皿１２,１２への除氷水の供給は、該水皿１２,１２の除氷位置への到来と関わりなく開始され、水皿１２,１２の加温のタイミングを早くすることができる。そして、除氷水の供給により各水皿１２が加温されて、該水皿１２の表面側に氷結している角氷Ｓとの氷結力が低下し、該角氷Ｓは自重により剥離落下し、前記氷通過口２８を介して貯氷室に落下貯留される。但し、前記除氷検知装置８１,８１が両方ともＯＦＦ状態を検出すると(ステップＳ５)、前記製氷完了サーモＴｈの離脱温度の検知の有無に拘らず、第２除氷運転を開始する(ステップＳ９)。
【００４９】
ところで、前記水皿１２,１２からの角氷Ｓの剥離を早くするためには、除氷運転の開始と共に該水皿１２,１２の加温を開始するとよい。しかし、前記水皿１２の加温のタイミングを早く設定すると、該水皿１２と角氷Ｓとの氷結状態の解除が、製氷小室６０ａと角氷Ｓとの氷結状態の解除より早く進行してしまい、該水皿１２が開放した際に、製氷室６０側に角氷Ｓが残留してしまう虞れがある。しかるに実施例では、第１除氷運転における製氷室６０,６０の加温により、製氷小室６０ａと角氷Ｓとの氷結状態の融解が進行して、まもなく製氷室６０から角氷Ｓが離脱し得るであろうタイミング(水皿１２,１２が開放する直前のタイミング)で水皿１２,１２の加温を開始することで、該水皿１２,１２が開放する際に、各水皿１２と角氷Ｓとの氷結状態は融解が進行しているが未だに解除されていないから、製氷室６０に角氷Ｓが残留することはない。このように、除氷運転において、製氷室６０への角氷Ｓの残留を防止しつつ、前記水皿１２の加温のタイミングを早く設定することで、該水皿１２が除氷位置に到来してから角氷Ｓが剥離落下するタイミングも早くすることができる。従って、除氷運転全体として除氷時間を短縮することができるので、製氷効率を向上し得る。前記製氷完了サーモＴｈにおける離脱温度の検知に基づいて、第２除氷運転を開始しているので、新たに温度検知手段を設ける必要がなく、コストは増加しない。また、第１除氷運転と第２除氷運転とを同時に行なう時間帯を設けることで、角氷Ｓは製氷室６０側と水皿１２側とから同時に加温されるから、角氷Ｓの氷結状態の融解がより早く進行し、より除氷時間を短縮し得る。更に、前記水皿１２に角氷Ｓが付着した状態で除氷位置に到来した際に、前記製氷室６０,６０の冷却を開始する製氷準備運転を開始しても、該水皿１２と角氷Ｓとの氷結状態の融解は既に進行しているため、製氷準備運転による冷気の影響で角氷Ｓの剥離が遅れることは回避される。更にまた、除氷運転が短縮されることで、前記製氷室６０および水皿１２の加温に用いる除氷水の量を減らすことができるので、前記製氷水タンク１６に貯留した前回の製氷運転時に冷却された製氷水の温度上昇を最小限とし得るから、製氷運転に要する時間も短縮する効果を奏する。
【００５０】
そして、各水皿１２の表面から角氷Ｓが落下剥離すると、該角氷Ｓにより回動規制されていた前記検出部材８２が回動し、再度水皿１２に当接して回動規制された除氷完了位置に保持され(図１１(ｃ)参照)、前記検出センサ８６がＯＮ状態として検出する(ステップＳ１１)。このとき、前記第２リミットスイッチ７８がＯＮ状態となっているので、前記検出部材８２が常態位置に保持されたものとして誤検出されることはない。更に、前記検出センサ８６による検出状態がＯＮ状態からＯＦＦ状態へ変化し、次いでＯＦＦ状態からＯＮ状態に変化したことになるため、前記除氷判定手段８７により前記水皿１２から角氷Ｓが除去されたものと判定される(図１１参照)。このため、前記水皿１２からの角氷Ｓの落下剥離を確実に検出することが可能となる。そして、実施例では、左右の除氷判定手段８７,８７の何れもが、前記水皿１２,１２から角氷Ｓが除去されたものと判定したときに、第２給水弁ＷＶ２を閉成して、水皿１２,１２への除氷水の供給が停止され、第２除氷運転を完了する(ステップＳ１２)。このように、前記水皿１２,１２の両方から角氷Ｓが除去されたものと判定したときに、除氷運転から製氷運転に移行するよう設定してあるから、一方の水皿１２に角氷Ｓが氷結したまま製氷運転に移行することはない。また、角氷Ｓが落下剥離した際に前記検出部材８２が回動するので、該検出部材８２の回動位置を検出センサ８６により正確に検出することができると共に、角氷Ｓの落下剥離後に直ちに製氷運転に移行させ得る。
【００５１】
すなわち、従来の温度検知装置やタイマ等のように、安全を見込んで作動設定値(例えば、水皿１２,１２の除氷位置への到来の検出)を設定することで除氷運転が必要以上に長くなることはなく、製氷能力を向上することができる。また、水皿１２の開放完了と水皿１２からの角氷Ｓの落下剥離(除氷完了)とを、各水皿１２に対応して配設した１組の検出部材８２、検出センサ８６および除氷判定手段８７により検出することができるので、部品点数を減少させて製造コストを低減し得る。
【００５２】
また、前記除氷判定手段８７,８７の何れかまたは両方が、正常除氷時間を経過しても前記水皿１２,１２から角氷Ｓが除去されたものと判定しない場合は(ステップＳ１３)、除氷異常対処運転に移行する。前記正常除氷時間を計時する第１タイマＴＭ１は、図１６に示すように、前記水皿１２,１２の除氷位置への到来(ステップＳ５)と同時に計時を開始するよう設定され、設定時間である正常除氷時間を経過しても、前記除氷判定手段８７,８７の両方がＯＮ状態を判定しないと制御装置８８により製氷準備運転が停止される(ステップＳ１４)。すなわち、前記ファンモータＦＭおよび圧縮機ＣＭが停止され、前記製氷弁ＦＶが閉成されて蒸発管１１への気化冷媒の循環が停止されると共に、第２給水弁ＷＶ２は開放状態に保持されて、水皿１２,１２に対する除氷水の供給は継続される(ステップＳ１５)。このとき、異常ランプが点灯すると共に、圧縮機ヒータがＯＮ状態になっている。このステップＳ１５は、前記除氷センサ８６,８６が両方ともＯＮ状態になって、前記除氷検知装置８１,８１により全ての水皿１２,１２から除氷されたものと判定されるまで継続される(ステップＳ１６)。前記除氷判定手段８７,８７により除氷が判定されると、第２給水弁ＷＶ２が閉成されて、水皿１２,１２への除氷水の供給が停止されて第２除氷運転が完了する(ステップＳ１７)。そして、圧縮機ＣＭのＯＮ,ＯＦＦを短時間で行なうことに起因する破損を防止する圧縮機保護タイマが設定時間経過した後(ステップＳ１８)、異常ランプが消灯され、製氷運転へ移行する。
【００５３】
前述したように、前記水皿１２に除氷水を供給して、該水皿１２を加温するタイミングを製氷室６０の離脱温度の検知により行なうことで、水皿１２からの角氷Ｓの剥離を早くして第２除氷運転を短縮することができるが、製氷運転時の過冷却による氷結状態が強い場合や水皿１２の劣化等により角氷が水皿１２から剥離し難くなって除氷時間が長くなってしまうことがある。実施例では、前記水皿１２からの除氷時間が長くなっても、各機器を全て停止するのではなく、第２除氷運転を継続し、前記除氷検知装置８１,８１の何れもが角氷Ｓの剥離落下を検出することで、製氷運転に移行するように構成されているので、除氷異常の対処について使用者に手間がかからない利点がある。また、このとき製氷準備運転を停止するよう構成しているので、製氷室６０の過冷却を防止して無駄を省くことができる。
【００５４】
除氷完了が検出されると(ステップＳ１３またはＳ１８)、前記開閉装置１５のモータＧＭが回転駆動されて、前記カム７０が時計廻り方向へ回動し(ステップＳ２０)、該カム７０における軸部７０ａの上方変位に伴い前記スライド板７１が上方に移動される。そして、スライド板７１の突出部７２が第１リミットスイッチ７７の検出部７７ａに接触することで(ステップＳ２１)、前記モータＧＭが一旦停止され、前記リンク機構６７,６７が第２位置から第１位置に変位される。このとき、前記水皿１２の案内ローラ６３の軸部とガイド部７４の端縁部７４ｃとが係合しているので、前記リンク機構６７,６７が第２位置から第１位置に変位するのに伴い該水皿１２が除氷位置から製氷位置に復帰するようになる。従って、水皿１２が製氷位置に位置したことが正確に検出され、前述した製氷運転が開始される(ステップ３０)。
【００５５】
図１４または図１６に示すように、前記除氷運転から製氷運転に移行するに際し、前記モータＧＭを正転方向(図１０の時計廻り)に駆動し(ステップＳ２０)、該モータＧＭの駆動により前記第２タイマＴＭ２の計時を開始する(ステップＳ２２)。この第２タイマＴＭ２に設定された正常閉成時間を経過しても、前記第１リミットスイッチ７７がＯＮ状態とならない場合には、前記モータＧＭを逆回転して該水皿１２,１２を除氷位置(リンク機構６７,６７を第２位置)に復帰させる(ステップＳ２３)。そして、第２リミットスイッチ７８のＯＮ状態の検出により(ステップＳ２４)前記モータＧＭを停止して、除氷待機に移行する(ステップＳ２５)。この除氷待機(ステップＳ２５)は、前記ファンモータＦＭを停止し、製氷弁ＦＶを閉成して蒸発管１１における気化冷媒の循環を止めて製氷準備運転を停止したもとで、圧縮機ＣＭを駆動して、ホットガス弁ＨＶを開放すると共に、第２給水弁ＷＶ２を開放して第２除氷水散水管２５,２５から除氷水を供給することで、製氷室６０,６０および水皿１２,１２を加温して、挟まっている角氷Ｓの放出を促している。このとき、異常ランプが点滅状態になっている。
【００５６】
前記製氷室６０,６０および水皿１２,１２が、除氷待機(ステップＳ２５)で加温されて温度が上昇し、この製氷室６０,６０が予め設定された解除温度に到来したことを前記解除温度検知手段が検知した際に、ホットガス弁ＨＶが閉成されて、蒸発管１１へのホットガスの循環が停止すると共に、前記第２給水弁ＷＶ１が閉成されて水皿１２,１２への除氷水の供給が停止して、製氷室６０,６０および水皿１２,１２の加温を停止する(ステップＳ２７)。このとき、所定時間遅延した後、ファンモータＦＭが駆動されると共に、製氷弁ＦＶが開放して蒸発管１１に気化冷媒が循環されて製氷室６０,６０の冷却が開始され、また異常ランプが点滅状態になっている。そして、圧縮機保護タイマが設定時間経過した後(ステップＳ２８)、回避カウンタにより氷噛み異常運転の繰り返し回数が設定回数(実施例では３回)以下の場合(ステップＳ２９)、ステップＳ２０に移行する。但し、回避カウンタが設定回数をカウントした場合は、圧縮機ＣＭ,ファンモータＦＭを停止し、製氷弁ＦＶを閉成する全停止状態となり、異常ランプが点灯される(ステップＳ３１)。このとき、圧縮機ヒータがＯＮされる。なお、ステップＳ２０において正常閉成時間内に第１リミットスイッチがＯＮ状態になった場合は、製氷運転に移行する(ステップＳ３０)。
【００５７】
このように、氷噛み異常対処運転が行なわれるので、万が一製氷室６０,６０と水皿１２,１２との間に角氷Ｓが挟まった場合でも、モータＧＭや製氷室６０,６０、水皿１２,１２等が損傷するのを防止できる。更に、前記氷噛み異常対処運転が所定回数繰り返されると、自動製氷機の運転が停止されると共に、異常状態が操作者に報知されるので、製氷機に過度の負担が掛かることを防止することができる。なお、前記氷噛み異常処理運転に際しては、前記解除温度検知手段により前記製氷室６０,６０が予め設定した解除温度となったのを検知した際に、前記開閉装置１５のモータＧＭを回転駆動して、除氷運転から製氷運転に切換えるので、より確実な除氷の検出を行なうことが可能である。
【００５８】
ここで、各水皿１２の裏面において、各通孔１２ａを囲繞するように配設された堰部材２６は、下方が開放した略Ｕ字状に形成されているので、製氷運転時に戻り孔２０から水皿１２の裏面側に流出する未氷結水が該堰部材２６に滞留することなく、円滑に製氷水タンク１６に向けて流下させることができる。すなわち、未氷結水の流下が円滑に行なわれるから、製氷水タンク１６へ未氷結水を回収し易くなり、製氷完了間近になっても該製氷水タンク１６内の製氷水不足に起因する循環ポンプＰの空気の噛込み等を回避し得る。また、第２除氷運転において、前記第２除氷水散水管２５から供給され、各水皿１２の裏面を流下する除氷水は、前記堰部材２６の上部が半円状の滑らかな形状になっているから、堰部材２６で阻まれて滞留することなく、円滑に流下することができる。そして、前記堰部材２６の内部で未氷結水が滞留しないので、この滞留した未氷結水が氷結することなく、水皿１２に氷結した角氷Ｓが通孔１２ａに引っ掛かることがないから第２除氷運転を短縮することが可能となる。しかも、第２除氷運転に要する時間を短縮し得るから、該除氷運転において供給される除氷水の量が減少し、製氷水タンク１６に貯留した製氷水の温度上昇を最小限に抑え、製氷時間も短縮することが可能となる。従って、製氷運転および除氷運転の時間を短縮し得るので、製氷効率を向上できると共に、第２除氷運転に要する除氷水量も減らせるので経済的である。
【００５９】
実施例では、各製氷室６０の下端部に、その前後方向の角隅部に滴下防止板２２,２２が夫々配設されているので、除氷位置において、該製氷室６０から滴下する除氷水が氷通過口２８を介して、貯氷室に流入することを防止することができる。図２０または図２１の如く、従来の製氷室１０では、第１除氷運転で該製氷室１０の裏面を伝って除氷水が下方に位置する製氷水タンク１６に流下するようになっている。そして、除氷水の供給が停止され、水皿１２が開放された際に、製氷室１０に付着して残った除氷水が、該製氷室１０の氷通過口２８に向けて延出している底面に案内されて、樋部材２７の移動により開放された氷通過口２８を介して滴下することがある。しかも、この製氷室１０からの除氷水の滴下は、該製氷室１０の前後の角隅部において顕著である。また、前記製氷室１０には、付着した結露等の水滴も水通過口２８から滴下する場合がある。すなわち実施例では、除氷水等の滴下が顕著である製氷室６０の角隅部について、該製氷室６０の底面を流下する除氷水等を阻むよう該製氷室６０の表面側(水皿１２に臨む面)の端部を覆うと共に、前記氷通過口２８から離間する方向に案内するよう傾斜した滴下防止板２２,２２を配設することで、貯氷室への除氷水等の滴下を防止している。このように、前記滴下防止板２２,２２により除氷水等の滴下を防止し得るので、貯氷室に貯蔵された角氷Ｓの融解が防止され、アーチング等の問題も回避し得る。更に、前記滴下防止板２２は、前記製氷室６０と別体として構成したので、製氷運転中に該滴下防止板２２に角氷Ｓが成長することを抑制することができる。なお、前記滴下防止板２２と製氷室６０との間にスペーサ等を介在させて僅かな隙間をあけることで、より滴下防止作用が向上する。
【００６０】
(変更例)
実施例では、前記一対の滴下防止板２２,２２で、各製氷室６０の下端部における角隅部を夫々覆うように構成したが、図１７に示すように、該製氷室６０の底面を全体的に覆う構成も採用し得る。変更例に係る滴下防止板３０は、前記製氷室６０の底板における表面端に密着的に当接すると共に、該製氷室６０の表面側から裏面側に下方傾斜した前板３０ａと、該製氷室６０の各延出部６０ｃに当接して、該延出部６０ａを夫々覆う側板３０ｂ,３０ｂとから構成されている。また、前記滴下防止板３０は、実施例と同様に製氷室６０の延出部６０ｃに固定手段２３で固定されている。すなわち、前記前板３０ａは、前記製氷室６０の底板における水皿１２側に臨む表面端の全体に亘って下方に延出している。前記滴下防止板３０は、前述した実施例の滴下防止板２２と同様の作用効果を奏し、製氷室６０における下端部の全体を覆っているので、より確実に除氷水等の滴下を防止し得る。図１８または図１９に示すように、別の変更例に係る滴下防止板３２は、前記製氷室６０と一体的に形成されている。前記滴下防止板３２は、前記製氷室６０の底板における表面端から下方に向けて延出され、該水皿１２から離間する方向に傾斜している。このように、前記滴下防止板３２を製氷室６０と一体形成することで、部品点数を減少できるメリットがある。
【００６１】
実施例では、斜め下方に開口した製氷小室６０ａを有する一対の製氷室６０,６０を水皿１２で夫々閉成する構成について説明したが、これに限定されず、角氷Ｓが水皿に氷結した状態で除氷位置へ移動し、この除氷位置で角氷Ｓが剥離落下する構成であれば、製氷小室の開口方向は下向きまたは横向きであってもよく、製氷室は１基であってもよい。また、水皿は傾動することで、製氷室を開放する構成も採用し得る。前記水皿１２,１２は、製氷位置から除氷位置への移動を製氷小室６０ａからの角氷Ｓの離脱に伴い自重により移動させる構成であるが、水皿を開閉装置で強制的に移動させる態様でもよい。
【図面の簡単な説明】
【００６２】
【図１】本発明の好適な実施例に係る自動製氷機の概略構成を製氷状態で示す縦断正面図である。
【図２】実施例に係る自動製氷機の概略構成を水皿の開放状態で示す縦断正面図である。
【図３】実施例の製氷室に対して水皿を製氷位置に位置決めした状態で示す縦断正面図である。
【図４】実施例の製氷室の下端部を示す概略斜視図である。
【図５】実施例の製氷室の下端部を水皿の開放状態で拡大して示す縦断正面図である。
【図６】実施例の水皿の要部断面図である。
【図７】実施例の水皿を表面側から示す要部正面図である。
【図８】実施例に係るリンク機構を第１位置に保持し、水皿を製氷位置に位置決めした状態を示す正面図である。
【図９】実施例に係るリンク機構を第２位置に変位させると共に、水皿が製氷位置に保持されている状態を示す正面図である。
【図１０】実施例に係るリンク機構を第２位置に保持し、水皿が除氷位置に移動した状態を示す正面図である。
【図１１】実施例に係る自動製氷機における水皿と検出部材の動作を示す要部断面図であり、(a)は水皿が製氷位置に位置すると共に検出部材が常態位置に位置し、(b)は水皿が除氷位置に位置すると共に検出部材が水皿開放位置に位置し、(c)は水皿が除氷位置に位置すると共に検出部材が除氷完了位置に位置する状態を示す。
【図１２】実施例に係る自動製氷機の制御系を概略で示すブロック図である。
【図１３】実施例に係る自動製氷機の除氷運転を示すフローチャート図である。
【図１４】実施例に係る自動製氷機の異常対処運転を示すフローチャート図である。
【図１５】実施例に係る自動製氷機の正常な除氷運転を示すタイミングチャート図である。
【図１６】実施例に係る自動製氷機の除氷異常対処運転および氷噛み異常対処運転を示すタイミングチャート図である。
【図１７】変更例に係る製氷室の下端部を示す概略斜視図である。
【図１８】別の変更例に係る製氷室の下端部を示す概略斜視図である。
【図１９】別の変更例に係る製氷室の下端部を示す縦断正面図である。
【図２０】従来の自動製氷機の概略構成を製氷状態で示す縦断正面図である。
【図２１】従来の自動製氷機の概略構成を水皿の開放状態で示す縦断正面図である。
【符号の説明】
【００６３】
１１ 蒸発管，１２ 水皿，２５ 第２除氷水散水管(除氷水供給手段)，
６０ 製氷室(製氷部)，６０ａ 製氷小室，８１ 除氷検知装置(開放判定手段)，
Ｓ 角氷(氷塊)
【図１】
2005299982.tif 000003
【図２】
2005299982.tif 000004
【図３】
2005299982.tif 000005
【図４】
2005299982.tif 000006
【図５】
2005299982.tif 000007
【図６】
2005299982.tif 000008
【図７】
2005299982.tif 000009
【図８】
2005299982.tif 000010
【図９】
2005299982.tif 000011
【図１０】
2005299982.tif 000012
【図１１】
2005299982.tif 000013
【図１２】
2005299982.tif 000014
【図１３】
2005299982.tif 000015
【図１４】
2005299982.tif 000016
【図１５】
2005299982.tif 000017
【図１６】
2005299982.tif 000018
【図１７】
2005299982.tif 000019
【図１８】
2005299982.tif 000020
【図１９】
2005299982.tif 000021
【図２０】
2005299982.tif 000022
【図２１】
2005299982.tif 000023